(57)【要約】【課題】頁を捲りやすくするとともに大量の情報を一度に通知しやすくする。【解決手段】折り部１１を中心として折り畳まれる第１のシート１０と、第１のシート１０の折り部１１を介した第１領域１２ａ及び第２領域１２ｂのそれぞれに、第１のシート１０の折り部１１に対向する辺を綴じ辺として綴じられて積層された複数枚の第２のシート２０ａ〜２０ｅとを有し、第２のシート２０ａ〜２０ｅは、第１のシート１０上における積層状態上面側となるに従って、綴じ辺から綴じ辺に対向する辺までの長さが短くなっていく段差状である。【選択図】図１
2008265226.tif 000002
【特許請求の範囲】
【請求項１】
複数枚のシートが綴じられてなる冊子であって、
折り部を中心として折り畳まれる第１のシートと、
前記第１のシートの前記折り部を介した２つの領域のそれぞれに、前記第１のシートの前記折り部に対向する辺を綴じ辺として綴じられて積層された複数枚の第２のシートとを有し、
前記複数枚の第２のシートは、前記第１のシート上における積層状態上面側となるに従って、前記綴じ辺から該綴じ辺に対向する辺までの長さが短くなっていく段差状である冊子。
【請求項２】
請求項１に記載の冊子において、
前記複数枚の第２のシートのうち前記第１のシート上における積層状態最上面となる第２のシートは、前記綴じ辺に隣接する辺に沿う領域が、当該第２のシートの他の領域とは切り離し可能に構成されて前記第１のシートに貼着されていることを特徴とする冊子。
【発明の詳細な説明】
【技術分野】
【０００１】
本発明は、複数枚のシートが綴じられてなる冊子に関する。
【背景技術】
【０００２】
従来より、商品等のカタログやパンフレットは、複数枚の紙片が綴じられた冊子として提供されているものが多い。このようなカタログやパンフレットは、冊子状となっていることにより、多くの情報を表示することができるとともに、利用者が見やすいものとなっている。一般的に、冊子状となったカタログやパンフレットは、同一形状の複数枚の紙片が、その一辺が綴じ辺として綴じられて冊子状とされたり、同一形状の複数枚の紙片が、その中心部が綴じ部として綴じられ、中心部が折り部として折り畳まれることにより冊子状とされたりしている（例えば、特許文献１，２参照。）。
【０００３】
冊子状となったカタログやパンフレットは、１頁ずつ捲れやすくなっていることが好ましい。特に、未開封のカタログやパンフレットは、表面の印刷によるインクや静電気によって複数枚の紙片どうしがくっつくあるいは離れにくくなっている場合があり、頁を捲る際、複数の頁を同時に捲ってしまうことがある。また、頁どうしがくっついている場合、１頁ずつ捲るために紙片どうしを指でずらすようにすると、紙片が折れてしまったり、破れてしまったりする虞れがある。
【０００４】
ここで、冊子を構成する複数枚の紙片の綴じ辺と対向する辺を段差形状とし、それにより、剥離可能に貼着された複数枚の紙片どうしを剥離する際の指がかりを補助する冊子が考えられている（例えば、特許文献３参照。）。このように構成された冊子においては、複数枚の紙片が剥離された後においても、段差形状によって複数枚の紙片を１枚ずつ捲れやすくすることができる。
【特許文献１】特開２００５−１６９９７５号公報
【特許文献２】特開２００２−１４００１０号公報
【特許文献３】特開２００６−３１５２５２号公報
【発明の開示】
【発明が解決しようとする課題】
【０００５】
しかしながら、一般的なカタログやパンフレットといった冊子のように、同一形状の複数枚の紙片が綴じられたものにおいては、上述したように１頁ずつ捲りにくく、頁どうしがくっついている場合、紙片が折れてしまったり、破れてしまったりする虞れがある。
【０００６】
また、複数枚の紙片の一辺が綴じ辺とされて綴じられて冊子状となっているため、利用者に一度に通知可能な情報が最大で紙片２枚分となり、大量の情報を一度に通知しにくいという問題点がある。
【０００７】
本発明は、上述したような従来の技術が有する問題点に鑑みてなされたものであって、頁を捲りやすくするとともに大量の情報を一度に通知しやすい冊子を提供することを目的とする。
【課題を解決するための手段】
【０００８】
上記目的を達成するために本発明は、
複数枚のシートが綴じられてなる冊子であって、
折り部を中心として折り畳まれる第１のシートと、
前記第１のシートの前記折り部を介した２つの領域のそれぞれに、前記第１のシートの前記折り部に対向する辺を綴じ辺として綴じられて積層された複数枚の第２のシートとを有し、
前記複数枚の第２のシートは、前記第１のシート上における積層状態上面側となるに従って、前記綴じ辺から該綴じ辺に対向する辺までの長さが短くなっていく段差状である。
【０００９】
上記のように構成された本発明においては、第１のシートと複数枚の第２のシートとが綴じられて構成されており、頁を捲る場合は第２のシートを捲ることになるが、第２のシートは、第１のシート上における積層状態上面側となるに従って、第１のシートに綴じられた綴じ辺からこの綴じ辺に対向する辺までの長さが短くなっていく段差状となっているので、第２のシートを捲る際に摘む部分が頁毎に表出しており、頁を捲りやすくなっている。また、第２のシートは、第１のシートの折り部を介した２つの領域のそれぞれに、第１のシートの折り部に対向する辺を綴じ辺として綴じられて積層されているので、第１のシートの折り部を介した２つの領域のそれぞれの第２のシートを捲った状態では４枚の第２のシートに表示された情報を一度に通知することができ、また、第１のシートの折り部を介した２つの領域のそれぞれについて第１のシートに綴じられた第２のシートを全て捲った状態では、第１のシートと２枚の第２のシートに表示された情報を一度に通知することができるようになる。
【００１０】
また、複数枚の第２のシートのうち第１のシート上における積層状態最上面となる第２のシートの、第１のシートに綴じられた綴じ辺に隣接する辺に沿う領域を、その第２のシートの他の領域とは切り離し可能に構成して第１のシートに貼着しておけば、第１のシートを折り畳み状態から見開いた際、第１のシートに綴じられた複数枚の第２のシートがばらけてしまうことがなく、その後、積層状態最上面となる第２のシートの第１のシートに貼着された領域をその第２のシートの他の領域から切り離せば、複数枚の第２のシートを捲ることができる。
【発明の効果】
【００１１】
以上説明したように本発明においては、折り部を中心として折り畳まれる第１のシートに綴じられた複数枚の第２のシートが、第１のシートの折り部を介した２つの領域のそれぞれに、第１のシートの折り部に対向する辺を綴じ辺として綴じられて積層されているため、第１のシートの折り部を介した２つの領域のそれぞれについて第２のシートを捲って見開いた際に、４枚の第２のシートに表示された情報、あるいは、第１のシートと２枚の第２のシートに表示された情報を一度に通知することができ、大量の情報を一度に通知しやすくすることができる。また、第２のシートが、第１のシート上における積層状態上面側となるに従って、第１のシートに綴じられた綴じ辺から綴じ辺に対向する辺までの長さが短くなっていく段差状である構成としたため、頁を捲れやすくすることができる。
【００１２】
また、複数枚の第２のシートのうち第１のシート上における積層状態最上面となる第２のシートの、綴じ辺に隣接する辺に沿う領域が、その第２のシートの他の領域とは切り離し可能に構成されて第１のシートに貼着された構成としたものにおいては、第１のシートを折り畳み状態から見開いた際、第１のシートに綴じられた複数枚の第２のシートがばらけてしまうことを回避できる。
【発明を実施するための最良の形態】
【００１３】
以下に、本発明の実施の形態について図面を参照して説明する。
【００１４】
（第１の実施の形態）
図１は、本発明の冊子の第１の実施の形態を示す図であり、（ａ）は見開いた状態を示す図、（ｂ）は（ａ）に示したＡ−Ａ’断面図、（ｃ）は（ａ）に示したＢ−Ｂ’断面図、（ｄ）は閉じた状態を示す図である。
【００１５】
本形態は図１に示すように、第１のシート１０上に、１０枚の第２のシート２０ａ〜２０ｅが積層されてこれらが粘着剤３０によって綴じられて構成されている。なお、本形態においては、第１のシート１０上に積層される第２のシートを１０枚としたが、その数は１０枚に限らない。
【００１６】
第１のシート１０は、折り部１１を中心として折り畳み可能に構成され、折り部１１を介して第１領域１２ａと第２領域１２ｂとの２つの領域を有している。第１領域１２ａと第２領域１２ｂのそれぞれには、折り部１１に対向する辺が１つずつ存在するが、その辺が綴じ辺となって５枚のシート２０ａ〜２０ｅが粘着剤３０によってそれぞれ綴じられている。
【００１７】
第２のシート２０ａ〜２０ｅは、シート１０の第１領域１２ａ及び第２領域１２ｂのそれぞれにおいて、シート１０上に、シート２０ａ、シート２０ｂ、シート２０ｃ、シート２０ｄ、シート２０ｅの順序で積層され、シート１０の折り部１１に対向する辺が綴じ辺となって粘着剤３０によって綴じられている。シート２０ａは粘着剤３０によってシート１０と貼着され、シート２０ｂは粘着剤３０によってシート２０ａと貼着され、シート２０ｃは粘着剤３０によってシート２０ｂと貼着され、シート２０ｄは粘着剤３０によってシート２０ｃと貼着され、シート２０ｅは粘着剤３０によってシート２０ｄと貼着されている。また、シート１０の第１領域１２ａ及び第２領域のそれぞれにおける５枚のシート２０ａ〜２０ｅは、綴じ辺から折り部１１に向かって綴じ辺に対向するまでの辺の長さが、シート１０上における積層順序であるシート２０ａ、シート２０ｂ、シート２０ｃ、シート２０ｄ、シート２０ｅの順で短くなっており、それにより、折り部１１側において段差を形成している。なおこの際、綴じ辺から折り部１１に向かって綴じ辺に対向するまでの辺の長さが最も長いシート２０ａにおいても、シート１０の第１領域１２ａ上に積層されたシート２０ａとシート１０の第２領域１２ｂに積層されたシート２０ａとが折り部１１近傍において接していない。これは、シート２０ａ〜２０ｅが内側となるようにシート１０を折り部１１を中心として折り畳んだ場合に、シート１０とシート２０ａとの周径差によって、シート１０の第１領域１２ａ上に積層されたシート２０ａとシート１０の第２領域１２ｂに積層されたシート２０ａとが綴じ辺と対向する辺にて干渉してしまうことを回避するためである。また、シート２０ａ〜２０ｅには、粘着剤３０が塗布された領域よりも折り部１１側に粘着剤３０の塗布領域に沿ってミシン目２１が形成されており、それにより、シート２０ａ〜２０ｅを冊子から切り離すことができるようになっている。
【００１８】
また、シート２０ａ〜２０ｅのうち、シート１０上における積層状態最上面となるシート２０ｅは、綴じ辺に沿った方向の長さがシート１０の綴じ辺に沿った方向の長さと同一となっており、その端部に固定部２５を有している。この固定部２５は、粘着剤３０によってシート１０に貼着され、ミシン目２３によってシート２０ｅの他の領域から切り離し可能となっている。また、シート２０ａ〜２０ｄの綴じ辺に沿った方向の長さは、シート１０，２０ｅの長さに対して、固定部２５の幅だけ短いものとなっており、それにより、固定部２５が設けられた領域には、シート１０とシート２０ｅとの間にシート２０ａ〜２０ｄが介在しない構成となっている。また、シート２０ｅの綴じ辺に対向する辺には、ミシン目２２を介して切捨部２４が連続しており、それにより、シート１０の第１領域１２ａ上に積層されたシート２０ｅと、シート１０の第２領域１２ｂ上に積層されたシート２０ｅとがこの切捨部２４を介して連続している。
【００１９】
また、切捨部２４及び固定部２５にはそれぞれ、ミシン目２２，２３の断裁を案内するための切り離し指示情報２６ａ，２６ｂが表示されている。
【００２０】
上記のように構成された冊子は、図１（ｄ）に示すように、シート２０ａ〜２０ｅが内側となるようにシート１０を折り部１１を中心として折り畳んだ状態で提供される。
【００２１】
以下に、上記のように構成された冊子の閲覧方法について説明する。
【００２２】
図２は、図１に示した冊子を閲覧する場合に切捨部２４が切り離される状態を示す図であり、（ａ）は切捨部２４が切り離されていく状態を示す図、（ｂ）は切捨部２４が切り離された状態を示す図である。
【００２３】
図１に示した冊子を閲覧する場合は、折り部１１を中心として折り畳まれた冊子を見開き、まず、切り離し指示情報２６ａに従ってミシン目２２を断裁していき、図２（ａ）に示すように切捨部２４を切り離していく。この際、シート１０の第１領域１２ａと第２領域１２ｂのそれぞれにおいてシート２０ｅに表示された情報が視認可能な状態となっている。
【００２４】
ミシン目２２が全て断裁されると、切捨部２４が切り離され、図２（ｂ）に示すように、切捨部２４が設けられていた領域において、段差状となったシート２０ａ〜２０ｄ及びシート１０が表出する。シート２０ａ〜２０ｅは段差状となっていることから、シート２０ｅの折り部１１側の端部からシート２０ｄの一部が表出し、シート２０ｄの折り部１１側の端部からシート２０ｃの一部が表出し、シート２０ｃの折り部１１側の端部からシート２０ｂの一部が表出し、シート２０ｂの折り部１１側の端部からシート２０ａの一部が表出する。この際、シート２０ｅが、シート１０に貼着された固定部２５を有していることから、切捨部２４が切り離された状態においても、シート２０ａ〜２０ｅがばらけてしまうことがない。
【００２５】
次に、シート２０ｅに形成されたミシン目２３を断裁してシート２０ａ〜２０ｅを見開き可能な状態とする。
【００２６】
図３は、図１に示した冊子を閲覧する場合に第２のシート２０ａ〜２０ｅを見開き可能な状態とする際の方法を説明するための図であり、（ａ）はシート２０ｅに形成されたミシン目２３が断裁されていく状態を示す図、（ｂ）はミシン目２３が断裁された状態を示す図である。
【００２７】
図２（ｂ）に示したように段差状となったシート２０ａ〜２０ｄ及びシート１０が表出した後、図３（ａ）に示すように、切り離し指示情報２６ｂに従ってミシン目２３を断裁していく。この際、シート２０ｅのみを綴じ辺側に引っ張ってミシン目２３を断裁してもよいが、５枚のシート２０ａ〜２０ｅを共に綴じ辺側に引っ張った方が、シート２０ｅが破けてしまう可能性を低減することができる。
【００２８】
ミシン目２３が全て断裁されると、図３（ｂ）に示すように、固定部２５がシート１０に貼着されたまま、シート２０ｅが固定部２５から切り離された状態となる。
【００２９】
このようにしてミシン目２２，２３を断裁することにより、シート２０ａ〜２０ｅが見開き可能な状態となる。
【００３０】
図４は、図１に示した冊子においてシート２０ｅが見開かれた状態を示す図である。
【００３１】
シート１０の第１領域１２ａと第２領域１２ｂのそれぞれに積層されたシート２０ｅを見開くと、図４に示すように、シート１０の第１領域１２ａと第２領域１２ｂのそれぞれにおいて、シート２０ｅのシート２０ｄに対向する面に表示された情報と、シート２０ｄのシート２０ｅに対向する面に表示された情報とが視認可能となる。すなわち、４枚のシートに表示された情報が利用者に同時に通知されることになる。このように同時に通知される情報としては、４枚のシートにて互いに無関係の情報であってもよいし、４枚のシートにて互いに関係を有する情報であってもよい。また、シート１０の第１領域１２ａと第２領域１２ｂのそれぞれにおいては、シート２０ｄとシート２０ｅとが連続していることから、シート２０ｄとシート２０ｅとに跨って１つの画像情報を表示してもよい。さらには、シート１０の第１領域１２ａのシート２０ｄ，２０ｅに１つの画像情報を表示し、シート１０の第２領域１２ｂのシート２０ｄ，２０ｅにその説明情報を表示するような組み合わせとしてもよい。
【００３２】
このようにして、シート１０の第１領域１２ａのシート２０ａ〜２０ｅの表裏いずれかに表示された情報と、第２領域１２ｂのシート２０ａ〜２０ｅの表裏いずれかに表示された情報とを同時に通知することができる。この情報の組み合わせは、上述したように同一のシートどうしに限らない。例えば、シート１０の第１領域１２ａのシート２０ｄとシート２０ｅとに跨って１つの画像情報を表示し、シート１０の第２領域１２ｂのシート２０ａ〜２０ｅにその説明情報を捲り順に従って説明順に表示してもよい。例えば、シート１０の第１領域１２ａのシート２０ｄとシート２０ｅとに跨って表示された画像情報について、その説明情報の一部をシート１０の第１領域１２ａのシート２０ｄとシート２０ｅとに表示し、その説明情報の続きを、シート１０の第１領域１２ａのシート２０ｄを捲って次に表出するシート２０ｃとシート２０ｄとに表示する等といった構成とすることが考えられる。また、シート２０ａ〜２０ｅを特定の順番で捲っていくカレンダーのような構成とすることも考えられる。
【００３３】
この際、シート１０の第１領域１２ａ及び第２領域１２ｂのそれぞれにおける５枚のシート２０ａ〜２０ｅは、綴じ辺から折り部１１に向かって綴じ辺に対向するまでの辺の長さが、シート１０上における積層順序であるシート２０ａ、シート２０ｂ、シート２０ｃ、シート２０ｄ、シート２０ｅの順で短くなって段差を形成しているため、シート２０ａ〜２０ｅを捲れやすくすることができる。
【００３４】
図５は、図１に示した冊子においてシート２０ａが見開かれた状態を示す図である。
【００３５】
シート１０の第１領域１２ａと第２領域１２ｂのそれぞれに積層されたシート２０ａを見開くと、図５に示すように、シート１０の第１領域１２ａと第２領域１２ｂのそれぞれにおいて、シート２０ａのシート１０に対向する面に表示された情報と、シート１０に表示された情報とが視認可能となる。この際、シート１０と２枚のシート２０ａとが全て連続していることから、図５に示すように、シート１０と２枚のシート２０ａとに跨って１つの画像情報を表示することが考えられる。このように、シート１０と２枚のシート２０ａとに跨って１つの画像情報を表示することによって、大きな画像情報を表示する等、インパクトのある情報を通知することが可能となる。
【００３６】
上述したように、シート１０の第１領域１２ａと第２領域１２ｂのそれぞれに積層されたシート２０ａ〜２０ｅを見開くことにより、一辺が綴じ辺として綴じられただけの冊子と比べて、大量の情報を一度に通知することができる。
【００３７】
（第２の実施の形態）
図６は、本発明の冊子の第２の実施の形態を示す図であり、（ａ）は外観図、（ｂ）は（ａ）に示したＡ−Ａ’断面図、（ｃ）は（ａ）に示したＢ−Ｂ’断面図である。
【００３８】
本形態は図６に示すように、第１のシート１１０上に、１０枚の第２のシート１２０ａ〜１２０ｅが積層されてこれらが粘着剤１３０によって綴じられて構成されている。さらに、シート１１０が、シート１２０ａ〜１２０ｅが内側となるように折り部１１１を中心として折り畳まれ、その周縁部が粘着剤１３０によって貼着されている。なお、本形態においては、第１のシート１１０上に積層される第２のシートを１０枚としたが、その数は１０枚に限らない。
【００３９】
第１のシート１１０は、折り部１１１を介して第１領域１１２ａと第２領域１１２ｂとの２つの領域を有している。第１領域１１２ａと第２領域１１２ｂのそれぞれには、折り部１１１に対向する辺が１つずつ存在するが、その辺が綴じ辺となって５枚のシート１２０ａ〜１２０ｅが粘着剤１３０によってそれぞれ綴じられている。シート１１０の折り畳み状態内側となる面の周縁部には粘着剤１３０が塗布されており、この粘着剤１３０によって周縁部が貼着される。粘着剤１３０が塗布された領域の内側には、ミシン目１２３が形成されており、このミシン目１２３の外側が切捨部１２５となり、ミシン目１２３が断裁されることにより冊子から切り離される。
【００４０】
第２のシート１２０ａ〜１２０ｅは、シート１１０の第１領域１１２ａ及び第２領域１１２ｂのそれぞれにおいて、シート１１０上に、シート１２０ａ、シート１２０ｂ、シート１２０ｃ、シート１２０ｄ、シート１２０ｅの順序で積層され、シート１１０の折り部１１１に対向する辺が綴じ辺となって粘着剤１３０によって綴じられている。シート１２０ａは粘着剤１３０によってシート１１０と貼着され、シート１２０ｂは粘着剤１３０によってシート１２０ａと貼着され、シート１２０ｃは粘着剤１３０によってシート１２０ｂと貼着され、シート１２０ｄは粘着剤１３０によってシート１２０ｃと貼着され、シート１２０ｅは粘着剤１３０によってシート１２０ｄと貼着されている。また、シート１１０の第１領域１１２ａ及び第２領域１１２ｂのそれぞれにおける５枚のシート１２０ａ〜１２０ｅは、綴じ辺から折り部１１１に向かって綴じ辺に対向するまでの辺の長さが、シート１１０上における積層順序であるシート１２０ａ、シート１２０ｂ、シート１２０ｃ、シート１２０ｄ、シート１２０ｅの順で短くなっており、それにより、折り部１１１側において段差を形成している。
【００４１】
以下に、上記のように構成された冊子の閲覧方法について説明する。
【００４２】
図７は、図６に示した冊子を見開いた状態を示す図であり、（ａ）は見開いた内側の面を示す図、（ｂ）は（ａ）に示したＡ−Ａ’断面図、（ｃ）は（ａ）に示したＢ−Ｂ’断面図である。
【００４３】
図６に示した冊子を閲覧する場合は、まず、ミシン目１２３を断裁し、図７に示すように、折り部１１１を中心として折り畳まれた冊子を見開く。折り部１１１を中心として折り畳まれた冊子は、シート１１０の周縁部が粘着剤１３０によって貼着されているが、その粘着部分の内側に形成されたミシン目１２３を断裁することにより見開くことができる。
【００４４】
図７に示すように、図６に示した冊子においては、シート１２０ｅの綴じ辺に対向する辺に、ミシン目１２２を介して切捨部１２４が連続しており、それにより、シート１１０の第１領域１１２ａ上に積層されたシート１２０ｅと、シート１１０の第２領域１１２ｂ上に積層されたシート１２０ｅとがこの切捨部１２４を介して連続している。また、シート１２０ａ〜１２０ｅには、粘着剤１３０が塗布された領域よりも折り部１１１側に粘着剤１３０の塗布領域に沿ってミシン目１２１が形成されており、それにより、シート１２０ａ〜１２０ｅを冊子から切り離すことができるようになっている。また、切捨部１２４には、ミシン目１２２の断裁を案内するための切り離し指示情報１２６が表示されている。
【００４５】
次に、切捨部１２４を切り離す。
【００４６】
図８は、図６に示した冊子を閲覧する場合に切捨部１２４が切り離される状態を示す図であり、（ａ）は切捨部１２４が切り離されていく状態を示す図、（ｂ）は切捨部１２４が切り離された状態を示す図である。
【００４７】
図６に示した冊子を見開いた後、切り離し指示情報１２６に従ってミシン目１２２を断裁していき、図８（ａ）に示すように切捨部１２４を切り離していく。この際、シート１１０の第１領域１１２ａと第２領域１１２ｂのそれぞれにおいてシート１２０ｅに表示された情報が視認可能な状態となっている。
【００４８】
ミシン目１２２が全て断裁されると、切捨部１２４が切り離され、図８（ｂ）に示すように、切捨部１２４が設けられていた領域において、段差状となったシート１２０ａ〜１２０ｄ及びシート１１０が表出する。シート１２０ａ〜１２０ｅは段差状となっていることから、シート１２０ｅの折り部１１１側の端部からシート１２０ｄの一部が表出し、シート１２０ｄの折り部１１１側の端部からシート１２０ｃの一部が表出し、シート１２０ｃの折り部１１１側の端部からシート１２０ｂの一部が表出し、シート１２０ｂの折り部１１１側の端部からシート１２０ａの一部が表出する。
【００４９】
これにより、シート１１０に綴じられたシート１２０ａ〜１２０ｅが見開き可能な状態となる。
【００５０】
図９は、図６に示した冊子においてシート１２０ｅが見開かれた状態を示す図である。
【００５１】
シート１１０の第１領域１１２ａと第２領域１１２ｂのそれぞれに積層されたシート１２０ｅを見開くと、図９に示すように、シート１１０の第１領域１１２ａと第２領域１１２ｂのそれぞれにおいて、シート１２０ｅのシート１２０ｄに対向する面に表示された情報と、シート１２０ｄのシート１２０ｅに対向する面に表示された情報とが視認可能となる。すなわち、４枚のシートに表示された情報が利用者に同時に通知されることになる。このように同時に通知される情報としては、第１の実施の形態にて示したものと同様に、４枚のシートにて互いに無関係の情報であってもよいし、４枚のシートにて互いに関係を有する情報であってもよい。また、シート１１０の第１領域１１２ａと第２領域１１２ｂのそれぞれにおいては、シート１２０ｄとシート１２０ｅとが連続していることから、シート１２０ｄとシート１２０ｅとに跨って１つの画像情報を表示してもよい。さらには、シート１１０の第１領域１１２ａのシート１２０ｄ，１２０ｅに１つの画像情報を表示し、シート１１０の第２領域１１２ｂのシート１２０ｄ，１２０ｅにその説明情報を表示するような組み合わせとしてもよい。
【００５２】
このようにして、シート１１０の第１領域１１２ａのシート１２０ａ〜１２０ｅの表裏いずれかに表示された情報と、第２領域１１２ｂのシート１２０ａ〜１２０ｅの表裏いずれかに表示された情報とを同時に通知することができる。
【００５３】
なおこの際、シート１１０の第１領域１１２ａ及び第２領域１１２ｂのそれぞれにおける５枚のシート１２０ａ〜１２０ｅは、綴じ辺から折り部１１１に向かって綴じ辺に対向するまでの辺の長さが、シート１１０上における積層順序であるシート１２０ａ、シート１２０ｂ、シート１２０ｃ、シート１２０ｄ、シート１２０ｅの順で短くなって段差を形成しているため、シート１２０ａ〜１２０ｅを捲れやすくすることができる。
【００５４】
図１０は、図６に示した冊子においてシート１２０ａが見開かれた状態を示す図である。
【００５５】
シート１１０の第１領域１１２ａと第２領域１１２ｂのそれぞれに積層されたシート１２０ａを見開くと、図１０に示すように、シート１１０の第１領域１１２ａと第２領域１１２ｂのそれぞれにおいて、シート１２０ａのシート１１０に対向する面に表示された情報と、シート１１０に表示された情報とが視認可能となる。この際、シート１１０と２枚のシート１２０ａとが全て連続していることから、図１０に示すように、シート１１０と２枚のシート１２０ａとに跨って１つの画像情報を表示することが考えられる。このように、シート１１０と２枚のシート１２０ａとに跨って１つの画像情報を表示することによって、大きな画像情報を表示する等、インパクトのある情報を通知することが可能となる。
【００５６】
上述したように、シート１１０の第１領域１１２ａと第２領域１１２ｂのそれぞれに積層されたシート１２０ａ〜１２０ｅを見開くことにより、一辺が綴じ辺として綴じられただけの冊子と比べて、大量の情報を一度に通知することができる。
【００５７】
なお、本形態においては、シート１１０の周縁部に切捨部１２５が設けられていることから第１の実施の形態に示した固定部２５が設けられていないが、切捨部１２５が切り離された状態にてシート１２０ｅをシート１１０に固定しておくために同様の固定部を設ける構成とすることも考えられる。
【００５８】
また、上述した２つの実施の形態にて示したシート１０，１１０とシート２０ｅ，１２０ｅとは、連続したシートを折り畳んだ後、連続した部分を製造工程にて断裁することによって構成することが考えられる。
【図面の簡単な説明】
【００５９】
【図１】本発明の冊子の第１の実施の形態を示す図であり、（ａ）は見開いた状態を示す図、（ｂ）は（ａ）に示したＡ−Ａ’断面図、（ｃ）は（ａ）に示したＢ−Ｂ’断面図、（ｄ）は閉じた状態を示す図である。
【図２】図１に示した冊子を閲覧する場合に切捨部が切り離される状態を示す図であり、（ａ）は切捨部が切り離されていく状態を示す図、（ｂ）は切捨部が切り離された状態を示す図である。
【図３】図１に示した冊子を閲覧する場合に第２のシートを見開き可能な状態とする際の方法を説明するための図であり、（ａ）はシートに形成されたミシン目が断裁されていく状態を示す図、（ｂ）はミシン目が断裁された状態を示す図である。
【図４】図１に示した冊子においてシートが見開かれた状態を示す図である。
【図５】図１に示した冊子においてシートが見開かれた状態を示す図である。
【図６】本発明の冊子の第２の実施の形態を示す図であり、（ａ）は外観図、（ｂ）は（ａ）に示したＡ−Ａ’断面図、（ｃ）は（ａ）に示したＢ−Ｂ’断面図である。
【図７】図６に示した冊子を見開いた状態を示す図であり、（ａ）は見開いた内側の面を示す図、（ｂ）は（ａ）に示したＡ−Ａ’断面図、（ｃ）は（ａ）に示したＢ−Ｂ’断面図である。
【図８】図６に示した冊子を閲覧する場合に切捨部が切り離される状態を示す図であり、（ａ）は切捨部が切り離されていく状態を示す図、（ｂ）は切捨部が切り離された状態を示す図である。
【図９】図６に示した冊子においてシートが見開かれた状態を示す図である。
【図１０】図６に示した冊子においてシートが見開かれた状態を示す図である。
【符号の説明】
【００６０】
１０，２０ａ〜２０ｅ，１１０，１２０ａ〜１２０ｅ    シート
１１，１１１    折り部
１２ａ，１１２ａ    第１領域
１２ｂ，１１２ｂ    第２領域
２１〜２３，１２１〜１２３    ミシン目
２４，１２４，１２５    切捨部
２５    固定部
２６ａ，２６ｂ，１２６    切り離し指示情報
３０，１３０    粘着剤
【図１】
2008265226.tif 000003
【図２】
2008265226.tif 000004
【図３】
2008265226.tif 000005
【図４】
2008265226.tif 000006
【図５】
2008265226.tif 000007
【図６】
2008265226.tif 000008
【図７】
2008265226.tif 000009
【図８】
2008265226.tif 000010
【図９】
2008265226.tif 000011
【図１０】
2008265226.tif 000012